(57)【要約】【課題】入射した太陽光を効率良く集光することができ、窓に利用した場合でも視認性を確保することができる集光構造体を提供する。【解決手段】集光構造体１０は、透明な導光体１１と、導光体１１の一方の面側に設けられた第１の層１２と、導光体１１の他方の面側に設けられ、かつ導光体１１側の面と反対側の面に凹凸構造１４が形成された第２の層１３とを備えている。第１の層１２及び第２の層１３はいずれも透明でかつ導光体１１より光の屈折率が小さな材質で形成されている。【選択図】図１
2012099681.tif 000002
【特許請求の範囲】
【請求項１】
透明な導光体と、
前記導光体の一方の面側に設けられ、透明でかつ前記導光体より光の屈折率が小さな材質で形成された第１の層と、
前記導光体の他方の面側に設けられ、透明でかつ前記導光体より光の屈折率が小さな材質で形成され、かつ前記導光体側の面と反対側の面に凹凸構造が形成された第２の層と
を備えている集光構造体。  
【請求項２】
前記導光体と前記第２の層との間に、透明でかつ前記導光体より光の屈折率が小さな材質で形成された第３の層を有する請求項１に記載の集光構造体。
【請求項３】
前記第１の層には前記導光体側の面と反対側の面に太陽光の反射防止機能を有する凹凸構造が形成されている請求項１又は請求項２に記載の集光構造体。
【請求項４】
前記導光体と前記第１の層との間に、透明でかつ前記導光体より光の屈折率が小さな材質で形成された第４の層を有する請求項３に記載の集光構造体。
【請求項５】
前記集光構造体は、その厚さ方向に延びる面に一部を除いて反射部が設けられている請求項１〜請求項４のいずれか１項に記載の集光構造体。
【請求項６】
請求項１〜請求項５のいずれか１項に記載の集光構造体と、光−電気変換部とを備え、前記集光構造体で集光された光が前記光−電気変換部に入射する構成を特徴とする光発電装置。
【発明の詳細な説明】
【技術分野】
【０００１】
本発明は、集光構造体及び光発電装置に関する。
【背景技術】
【０００２】
近年、地球環境に配慮したエネルギー源の一つとして太陽光が注目され、太陽光発電が実施されるとともに種々の装置が提案されている。従来の太陽光発電装置の多くは集光部と光−電気変換部とが一体化されている。太陽光発電装置として集光部と光−電気変換部とが一体化されていることに起因する問題点を改善するため、太陽光発電装置を集光装置と光−電気変換装置とに分割した太陽光発電装置が提案されている（例えば、特許文献１参照）。特許文献１には、図５に示すように、中央のプラスチック層５１を屈折率の異なるプラスチック層５２，５３で挟むことによって、光の閉じ込め効果を出すとともに、その外側に材料・構造の異なるプラスチック層５４，５５を配置することでプラスチック層５１の中に太陽光を閉じ込める効率を高めた集光装置が開示されている。そして、集光装置の端部に光−電気変換装置を設置することで太陽光発電装置が構成される。
【０００３】
プラスチック層５４は、プラスチック製の集光装置の大気中にふれる部分を散乱が大きく入った光が伝達しやすい条件の成分が増加するようにしたものである。プラスチック層５５は、集光装置の表裏を意識する必要がなく使用できるようにするために設けられている。
【先行技術文献】
【特許文献】
【０００４】
【特許文献１】特開２００９−１１７４４６号公報
【発明の概要】
【発明が解決しようとする課題】
【０００５】
特許文献１では、プラスチック層５４，５５の構造に関して明確な記載はない。また、特許文献１の集光装置は、集光効率を上げることを目的としており、「窓」を集光部に利用して太陽光発電を行う場合には、非常に暗い窓となり、窓から外部を見る際の視認性が悪くなり、意匠性も悪くなる。
【０００６】
また、太陽光発電では、光−電気変換部（太陽電池）の構造により光−電気変換に適した光の波長があり、集光装置で集光した光の全てが太陽光発電に寄与するのではない。
本発明は、前記従来の問題に鑑みてなされたものであって、その目的は、入射した太陽光を効率良く集光することができ、窓に利用した場合でも視認性を確保することができる集光構造体及びその集光構造体を備えた光発電装置を提供することにある。
【課題を解決するための手段】
【０００７】
前記の目的を達成するため、請求項１に記載の発明の集光構造体は、透明な導光体と、前記導光体の一方の面側に設けられ、透明でかつ前記導光体より光の屈折率が小さな材質で形成された第１の層と、前記導光体の他方の面側に設けられ、透明でかつ前記導光体より光の屈折率が小さな材質で形成され、かつ前記導光体側の面と反対側の面に凹凸構造が形成された第２の層とを備えている。ここで、「透明」とは、少なくとも可視光を透過することを意味する。
【０００８】
この発明の集光構造体は、光源（例えば太陽）からの光が第１の層から入射する状態で使用される。第１の層及び第２の層の屈折率は導光体の屈折率より小さいため、第１の層及び第２の層の屈折率が導光体の屈折率より大きい場合に比べて、第１の層から導光体に入射した光が導光体と第２の層との界面で第１の層へ向かうように反射した後、導光体と第１の層との界面で第２の層へ向かうように反射することを繰り返す割合が大きくなる。また、導光体と第２の層との界面で第１の層へ向かうように反射せずに第２の層に入射した光のうち一部の光は、凹凸構造で導光体側へ向かうように反射し、残りの光は第２の層から出射する。凹凸構造で導光体側へ向かうように反射した光は、導光体内を導光体と第１の層との界面及び導光体と第２の層との界面で反射を繰り返して導光体内を進む。なお、凹凸構造のサイズやピッチは、μｍのオーダー（例えば、数十μｍ程度）であり、凹凸構造のサイズ・角度・繰り返しピッチを変えることで、凹凸構造が導光体側へ向けて反射する光の割合が調整される。したがって、入射した太陽光を効率良く集光することができ、窓に利用した場合でも視認性を確保することができる。
【０００９】
請求項２に記載の発明は、請求項１に記載の発明において、前記導光体と前記第２の層との間に、透明でかつ前記導光体より光の屈折率が小さな材質で形成された第３の層を有する。この発明では、第２の層の屈折率と第３の層の屈折率との組み合わせを調整することで、第３の層がない構成に比べて集光効率を向上させることが可能になる。
【００１０】
請求項３に記載の発明は、請求項１又は請求項２に記載の発明において前記第１の層には前記導光体側の面と反対側の面に太陽光の反射防止機能を有する凹凸構造が形成されている。凹凸構造のサイズやピッチは、第２の層に形成された凹凸構造より小さく、ｎｍのオーダー（例えば、数十〜数百ｎｍ程度）である。この発明では、光源（例えば太陽）からの光が第１の層から効率良く入射されるため、第１の層に太陽光の反射防止機能を有する凹凸構造のない場合と比べて集光効率が向上する。また、凹凸構造のサイズ・角度・繰り返しピッチを変えることで、凹凸構造を介して導光体へ入射する光の波長を調整することが可能となり、集光構造体を用いて光発電を行う光発電装置の光−電気変換部の光−電気変換に適した範囲の波長の光が入射するように調整することが可能になる。
【００１１】
請求項４に記載の発明は、請求項３に記載の発明において、前記導光体と前第１の層との間に、透明でかつ前記導光体より光の屈折率が小さな材質で形成された第４の層を有する。この発明では、第１の層の屈折率と第４の層の屈折率との組み合わせを調整することで、第４の層がない構成に比べて集光効率を向上させることが可能になる。
【００１２】
請求項５に記載の発明は、請求項１〜請求項４のいずれか１項に記載の発明において、
前記集光構造体は、その厚さ方向に延びる面に一部を除いて反射部が設けられている。この発明の集光構造体では、導光体に閉じ込められた状態で導光体内を進んだ光は反射部が設けられていない端面から出射される。そして、光発電装置に適用する場合は、反射部が設けられていない端面から出射された光が光発電装置の光−電気変換部に入射される状態、例えば、反射部が設けられていない端面と対向する位置に光−電気変換部を配置した状態で使用される。
【００１３】
請求項６に記載の発明の光発電装置は、請求項１〜請求項５のいずれか１項に記載の発明の集光構造体と、光−電気変換部とを備え、前記集光構造体で集光された光が前記光−電気変換部に入射する構成である。この発明では、光発電装置の集光構造体を窓に利用した場合でも視認性を確保した状態で入射した太陽光を効率良く集光することができる。
【発明の効果】
【００１４】
本発明によれば、入射した太陽光を効率良く集光することができ、窓に利用した場合でも視認性を確保することができる。
【図面の簡単な説明】
【００１５】
【図１】第１の実施形態を示し、（ａ）は集光構造体の模式図、（ｂ）は（ａ）の部分拡大図、（ｃ）は作用を説明する模式図。
【図２】（ａ）は集光構造体を光発電装置に適用した場合の模式図、（ｂ）は集光構造体の模式図。
【図３】第２の実施形態を示し、集光構造体の模式図。
【図４】（ａ），（ｂ）はそれぞれ別の実施形態の集光構造体の模式図。
【図５】従来技術の集光装置の断面図。
【発明を実施するための形態】
【００１６】
（第１の実施形態）
以下、本発明を具体化した集光構造体及び光発電装置の一実施形態を図１及び図２にしたがって説明する。
【００１７】
図１に示すように、集光構造体１０は、透明な導光体１１と、導光体１１の一方の面側に設けられた第１の層１２と、導光体１１の他方の面側に設けられた第２の層１３とを備えている。第１の層１２及び第２の層１３は、透明でかつ導光体１１より光の屈折率が小さな材質で形成されている。第２の層１３は、導光体１１側の面と反対側の面に凹凸構造１４が形成されている。導光体１１と第２の層１３との間には、透明でかつ導光体１１より光の屈折率が小さな材質で形成された第３の層１５が設けられている。第１の層１２と第３の層１５は同じ屈折率の材質で形成されている。ここで、「透明」とは、少なくとも可視光を透過することを意味する。
【００１８】
導光体１１、第１の層１２及び第２の層１３の材料は、ガラスでも樹脂でもよく、厚さ、面積、取り扱い易さ等を配慮して適宜選択される。
導光体１１と第１の層１２、導光体１１と第３の層１５及び第３の層１５と第２の層１３とは直接接合される構造でも、図示しない接着剤を介して接合される構造のいずれであってもよい。
【００１９】
凹凸構造１４は、例えば、角錐状あるいは円錐状の凸部が多数形成されることで構成されている。凹凸構造１４は、サイズやピッチがμｍのオーダー（例えば、数十μｍ程度）で形成されている。凹凸構造１４のサイズ・角度・繰り返しピッチを変えることで、凹凸構造１４が導光体１１側へ向けて反射する光の割合が調整される。集光構造体１０を窓に利用する場合は、凹凸構造１４のサイズ・角度・繰り返しピッチは、第２の層１３から出射される光の量が視認性を確保することができる量となるように設定される。
【００２０】
次に前記のように構成された集光構造体１０の作用を説明する。
図２に示すように、集光構造体１０は、光源（例えば太陽）からの光が第１の層１２から入射する状態で使用される。光が、屈折率の小さな媒質から屈折率の大きな媒質へ入射するときは、入射角より屈折角が小さくなり、光が、屈折率の大きな媒質から屈折率の小さな媒質へ入射するときは、入射角より屈折角が大きくなる。そして、光が、屈折率の大きな媒質から屈折率の小さな媒質との界面に入射するときの入射角が臨界角より大きいと全反射が生じる。
【００２１】
そのため、第１の層１２から導光体１１に入射した光が導光体１１と第３の層１５との界面に入射するときの入射角が臨界角以上となる場合は、その光は導光体１１と第３の層１５との界面で全反射する。その後、図１（ｃ）にａで示すように、導光体１１と第１の層１２との界面での全反射と、導光体１１と第３の層１５との界面での全反射を繰り返すようにして導光体１１内を進む。その結果、導光体１１の屈折率が第１の層１２及び第３の層１５の屈折率より小さな場合に比べて、導光体１１内に入射した光が効率良く導光体１１内に閉じ込められる。
【００２２】
また、第１の層１２から導光体１１に入射した光が導光体１１と第３の層１５との界面に入射するときの入射角が臨界角未満でかつ所定の角度以上の場合は、図１（ｃ）にｂで示すように、導光体１１と第３の層１５との界面で全反射せずに第３の層１５を経て第２の層１３に入射する。第２の層１３に入射した光の一部が凹凸構造１４において導光体１１側へ反射され、第３の層１５を透過して導光体１１に入射し、残りの光は第２の層１３から集光構造体１０の外部に出射する。導光体１１に入射した光は、導光体１１と第１の層１２との界面での全反射と、導光体１１と第３の層１５との界面での全反射を繰り返すようにして導光体１１内を進む。
【００２３】
また、図１（ｃ）にｃで示す第１の層１２に対して垂直（入射角０度）に入射した光や、導光体１１に入射した光が導光体１１と第３の層１５との界面に入射するときの入射角が所定角度未満の場合は、光は第３の層１５及び第２の層１３を透過して集光構造体１０から出射する。
【００２４】
なお、図１（ｃ）では、ａ及びｂで示す光線は入射角及び出射角の関係を無視して模式的に示しているため、入射角と出射角との大小関係が屈折率の大小関係と対応しない部分がある。
【００２５】
集光構造体１０は、例えば、図２（ａ）に示すように、光−電気変換部２０と組み合わせて光発電装置１００を構成する。光−電気変換部２０は、直方体状に形成された集光構造体１０の一つの端面と対向して配置されている。集光構造体１０は、その厚さ方向に延びる面のうち、光−電気変換部２０と対向する端面を除いた３か所の端面に反射部１６が設けられている。即ち、集光構造体１０は、その厚さ方向に延びる面に、一部を除いて反射部１６が設けられている。反射部１６には、例えば反射用鏡面が使用される。図２（ｂ）に示すように、反射部１６は導光体１１の端面だけでなく、第１の層１２、第２の層１３及び第３の層１５の端面も覆うように設けられている。
【００２６】
前記のように構成された光発電装置１００では、集光構造体１０に入射した太陽光は、前述したように効率良く導光体１１内に閉じ込められた状態で導光体１１内をいずれかの端面に向かって進む。光−電気変換部２０と対向する端面に達した光は、その端面から光−電気変換部２０に向けて出射され、光−電気変換部２０で発電に使用される。光−電気変換部２０と対向しない端面に達した光は、反射部１６で反射されて再び導光体１１内を進み、反射部１６で１回あるいは複数回反射した後、光−電気変換部２０と対向する端面から光−電気変換部２０に向けて出射される。反射部１６が設けられていない場合は、光−電気変換部２０と対向しない端面に達した光は導光体１１から集光構造体１０の外部に出射され、太陽光発電に寄与しない。しかし、反射部１６が設けられていることにより、集光構造体１０に入射した太陽光が有効に太陽光発電に寄与する。また、集光構造体１０を窓に利用した場合、集光構造体１０に入射した太陽光の一部は第２の層１３から出射され、窓から外を見る際の視認性を確保することができる。集光構造体１０がそれ自身で窓としての強度を確保できない場合は集光構造体１０を窓に貼付して使用する。集光構造体１０がそれ自身で窓としての強度を確保できる場合は、集光構造体１０のみで窓を構成してもよいが、集光構造体１０を窓に貼付して使用する方が、取り扱い易い。
【００２７】
この実施形態によれば、以下に示す効果を得ることができる。
（１）集光構造体１０は、透明な導光体１１と、導光体１１の一方の面側に設けられた第１の層１２と、導光体１１の他方の面側に設けられ、かつ導光体１１側の面と反対側の面に凹凸構造１４が形成された第２の層１３とを備えており、第１の層１２及び第２の層１３はいずれも透明でかつ導光体１１より光の屈折率が小さな材質で形成されている。したがって、入射した太陽光を効率良く集光することができ、窓に利用した場合でも視認性を確保することができる。
【００２８】
（２）導光体１１と第２の層１３との間に、透明でかつ導光体１１より光の屈折率が小さな材質で形成された第３の層１５を有する。したがって、第２の層１３の屈折率と第３の層１５の屈折率との組み合わせを調整することで、第３の層１５がない構成に比べて集光効率を向上させることが可能になる。
【００２９】
（３）集光構造体１０は、その厚さ方向に延びる面に一部を除いて反射部１６が設けられている。したがって、第１の層１２から集光構造体１０に入射した光の出射部は反射部１６が設けられていない導光体１１の端面となり、反射部１６を設けない場合に比べて出射部から出射される光の強度が強くなる。
【００３０】
（４）光発電装置１００は、集光構造体１０と、光−電気変換部２０とを備え、集光構造体１０で集光された光が光−電気変換部２０に入射する構成である。したがって、集光構造体１０を窓に利用しても、入射した太陽光を効率良く集光することができ、視認性も確保することができる。
【００３１】
（５）集光構造体１０は、光発電装置１００の光−電気変換部２０への光出射部となる導光体１１の端面以外の端面に反射部１６が設けられているため、集光構造体１０に入射した光が効率良く光−電気変換部２０での発電に使用される。
【００３２】
（第２の実施形態）
次に、集光構造体１０の第２の実施形態を図３にしたがって説明する。この実施形態では、導光体１１より太陽光の入射側の構成が第１の実施形態と異なっている。第１の実施形態と同一部分は同一符号を付して詳しい説明を省略する。
【００３３】
図３に示すように、導光体１１と第１の層１２との間に、透明でかつ導光体１１より光の屈折率が小さな材質で形成された第４の層１７が設けられている。第４の層１７の材質には屈折率が第３の層１５の材質の屈折率と同じ材質が使用されている。第１の層１２には導光体１１側の面と反対側の面に太陽光の反射防止機能を有する凹凸構造１８が形成されている。
【００３４】
凹凸構造１８は、例えば、角錐状あるいは円錐状の凸部が多数形成されることで構成されている。凹凸構造１８のサイズやピッチは、第２の層１３に形成された凹凸構造１４より小さく、ｎｍのオーダー（例えば、数十〜数百ｎｍ程度）で形成されている。凹凸構造１８のサイズ・角度・繰り返しピッチを変えることで、凹凸構造１８を介して導光体１１へ入射する光の波長を調整することが可能となり、凹凸構造１８は予め設定された範囲の波長の光が第４の層１７を介して導光体１１へ入射するようにサイズ・角度・繰り返しピッチが設定されている。「予め設定された範囲の波長の光」とは、集光構造体１０を用いて光発電を行う光発電装置１００の光−電気変換部２０の光−電気変換に適した範囲の波長の光を意味する。
【００３５】
したがって、この第２の実施形態によれば、第１の実施形態の（１）〜（５）と同様な効果に加えて、以下の効果を得ることができる。
（６）第１の層１２には導光体１１側の面と反対側の面に太陽光の反射防止機能を有する凹凸構造１８が形成されている。したがって、光源（例えば太陽）からの光が第１の層１２から効率良く入射されるため、第１の層１２に太陽光の反射防止機能を有する凹凸構造１８のない場合と比べて集光効率が向上する。
【００３６】
（７）凹凸構造１８のサイズやピッチは、第２の層１３に形成された凹凸構造１４より小さく、ｎｍのオーダー（例えば、数十〜数百ｎｍ程度）であり、凹凸構造１８のサイズ・角度・繰り返しピッチを変えることで、凹凸構造１８を介して導光体１１へ入射する光の波長を調整することが可能となる。そのため、凹凸構造１８のサイズ・角度・繰り返しピッチを、集光構造体１０を用いて光発電を行う光発電装置１００の光−電気変換部２０の光−電気変換に適した範囲の波長の光が入射するように設定すれば、光−電気変換部２０の光−電気変換に適した範囲の波長の光を効率良く集光することができる。
【００３７】
（８）導光体１１と第１の層１２との間に、透明でかつ導光体１１より光の屈折率が小さな材質で形成された第４の層を有する。したがって、第１の層１２の屈折率と第４の層１７の屈折率との組み合わせを調整することで、第４の層１７がない構成に比べて集光効率を向上させることが可能になる。
【００３８】
実施形態は前記に限定されるものではなく、例えば、次のように具体化してもよい。
○  第１の実施形態における集光構造体１０から第３の層１５を省略して、図４（ａ）に示すように、第２の層１３が導光体１１に接合された構造としてもよい。
【００３９】
○  第２の実施形態における集光構造体１０から第３の層１５及び第４の層１７を省略して、図４（ｂ）に示すように、第１の層１２及び第２の層１３が導光体１１に接合された構造としてもよい。また、第２の実施形態における集光構造体１０から第３の層１５及び第４の層１７のいずれか一方のみを省略した構造としてもよい。
【００４０】
○  第２の実施形態や図４（ｂ）に示す別の実施形態の集光構造体１０のように、第１の層１２にサイズやピッチがｎｍのオーダーの凹凸構造１８を設けた場合は、導光体１１と第２の層１３との間に乱反射層を設けたり、第２の層１３の外側に乱反射層を設けたりすることが好ましい。
【００４１】
○  導光体１１を挟んで配置される層の屈折率は、導光体１１の屈折率より小さければよく、異なる屈折率にしてもよい。例えば、第１の実施形態において第１の層１２及び第３の層１５、第２の実施形態において第３の層１５及び第４の層１７あるいは図４（ａ），（ｂ）の別の実施形態において第１の層１２及び第２の層１３の屈折率をそれぞれ異なる屈折率にしてもよい。
【００４２】
○  凹凸構造１４及び凹凸構造１８の凸部は、角錐状あるいは円錐状に限らず他の形状であってもよい。また、凸部はサイズや角度が同じものだけが設けられる構成に限らず、異なるサイズや角度の凸部が混在したり、異なる形状の凸部が混在したりしてもよい。
【００４３】
○  集光構造体１０と光−電気変換部２０と組み合わせて光発電装置１００を構成するとき、光−電気変換部２０は、直方体状に形成された集光構造体１０の導光体１１の一つの端面と対向する位置だけでなく、複数の端面あるいは全ての端面と対向する位置に配置してもよい。また、光−電気変換部２０は、光の入射部の大きさが導光体１１の一つの端面全体と対向する大きさに限らず、一つの端面より小さな大きさであってもよい。
【００４４】
○  集光構造体１０から出射される光を、導光部材を介して光−電気変換部２０の光の入射部に入射する構成としてもよい。光−電気変換部２０の光の入射部の大きさと、集光構造体１０の光出射部の大きさが異なる場合、特に集光構造体１０の光出射部の大きさが大きな場合には、導光部材を介して光−電気変換部２０の光の入射部に入射する構成が好ましい。また、集光構造体１０から出射される光を、導光部材を介して光−電気変換部２０の光の入射部に入射する構成では、集光構造体１０及び光−電気変換部２０を近接した位置に配置するスペースを確保しなくても、それぞれ別に配置スペースを確保すればよい。
【００４５】
○  集光構造体１０を光発電装置１００の集光部に用いる場合、窓に利用するのではなく集光部としてのみ利用するようにしてもよい。
○  集光構造体１０を光発電装置１００の集光部としてのみ利用する場合、窓における視認性を確保する必要がないため、第２の層１３に設けられた凹凸構造１４は、第２の層１３に入射した光ができるだけ導光体１１側へ反射する構造にするのが好ましい。
【００４６】
○  光発電装置１００の集光構造体１０を利用する窓は建物の窓に限らず、車両や船などの乗り物の窓であってもよい。
○  光発電装置１００を自動車に適用する場合、集光構造体１０を自動車の屋根（ルーフ）やボンネットに取り付けてもよい。この場合、屋根やボンネットは平面ではなく異なる曲率を有する曲面が組み合わされた形状に形成されているため、集光構造体１０を樹脂製として屋根やボンネットの形状に合わせて形成するのが好ましい。
【００４７】
○  集光構造体１０をシート状やフィルム状にしてもよい。シート状やフィルム状の場合、可撓性が大きいため、集光構造体１０を取り付ける位置が多少湾曲していても支障なく取り付けることができる。
【００４８】
○  光発電装置１００は光源を太陽光とする物に限らず、太陽光以外の光、例えば。蛍光灯等の照明器具の光を光源としてもよい。
○  集光構造体１０は光発電装置１００の集光部以外に利用してもよい。例えば、太陽光を窓の在る室内に採り入れるのではなく、集光構造体１０で集光した太陽光を光ファイバーなどのガイド部材を介して窓の無い室内に採り入れて照明用に利用してもよい。
【００４９】
○  反射部１６の幅（集光構造体１０からみて厚み）は、少なくとも導光体１１の端面だけを覆うように設けられていてもよい。
以下の技術的思想（発明）は前記実施形態から把握できる。
【００５０】
（１）請求項３に記載の発明において、前記凹凸構造はサイズやピッチが、前記第２の層に形成された凹凸構造より小さく、ｎｍのオーダーであり、予め設定された範囲の波長の光を入射するように前記サイズやピッチが設定されている。
【符号の説明】
【００５１】
１０…集光構造体、１１…導光体、１２…第１の層、１３…第２の層、１４，１８…凹凸構造、１５…第３の層、１６…反射部、１７…第４の層、２０…光−電気変換部、１００…光発電装置。
【図１】
2012099681.tif 000003
【図２】
2012099681.tif 000004
【図３】
2012099681.tif 000005
【図４】
2012099681.tif 000006
【図５】
2012099681.tif 000007